(57)【要約】      （修正有）【課題】心電波形、体脂肪率測定の両方の測定が可能でも外部に伝達するための携帯電話を提供する。【解決手段】心電波形、体脂肪率測定を携帯電話を組み込んだ装置に組み込んで、ディスプレイ上で所定部をタッチすると心電波形測定と体水分率測定を順次切り替えて測定し、心電波形が不整脈、頻脈等の望ましくない状態のとき、体脂肪率を見て脱水症状のために心電波形がそのような状態になっているかを判定する。【選択図】図１
2017047025.tif 000002
【特許請求の範囲】
【請求項１】
ケースと、前記ケース内に配置された再充電可能電池と前記ケースに挿入され、外部から接触すると通電されて表示する機能を備えたタッチパネルを備えた携帯電話端末と、前記タッチパネル表面に設けられた第１の表示部を、接触することにより被験者の心電波形情報、体脂肪率情報の内の一方の情報を出力し、第２の表示部を接触することにより被験者の心電波形情報、体脂肪率情報の内の他方の情報を出力する出力手段と、前記出力された心電波形情報、体脂肪率情報の内の一方の情報が所定情報を出力したときに、心電波形情報、体脂肪率情報の内の他方の情報を出力するように指示または出力する手段を備えた心電波形及び体脂肪率測定システム。
【請求項２】
前記ケース内に、前記携帯電話端末を挿入するガイドが設けられ、前記ガイドの前記携帯電話端末と接触する面に圧縮可能な材料が設けられている請求項１に記載の心電波形及び体脂肪率測定システム。
【請求項３】
前記ケース内に、前記携帯電話端末が挿入完了を通知する光電センサ―を備えた請求項１に記載の心電波形及び体脂肪率測定システム。
【発明の詳細な説明】
【技術分野】
【０００１】
昨今、心筋梗塞や脳梗塞で亡くなるひとや、亡くならなくても半身不随になる人も多い。
本発明は、そこで心電波形及び体脂肪率を測定し、その測定結果を、携帯電話ディスプレイ等で表示する心電波形及び体脂肪率測定システムに関する。
【背景技術】
【０００２】
従来、特許文献１に示すように長期間連続的に心臓を監視し、監視した心電波形を分析しリアルタイムに、その結果を外部に知らせるために外部と通信するものがあった。また、健康管理装置として特許文献２に示すように、心電波形と体脂肪率を測定する装置が知られている。
【先行技術文献】
【特許文献】
【０００３】
【特許文献１】特許５６８４３６５６号公報
【特許文献２】特開２００６−１８７４５０号公報
【発明の概要】
【発明が解決しようとする課題】
【０００４】
以上に述べた特許文献１では心臓を監視するものとして心電波形が望ましくない波形であっても体脂肪率を測定していないので、太りすぎとか、または脱水症状がでているので心電波形が望ましい波形になっていないかが不明であった。
【０００５】
特許文献２では心電波形と体脂肪率を監視する装置が組み込まれているが、携帯電話を殆ど多くの人が持っている中、特許文献２の示すように装置に別途大きな表示を設けずに、携帯電話の電話機能を使えば特許文献２の図に示すようにわざわざ電話通信機能を持たずに外部に伝達でき、さらにタッチスイッチを持つ携帯電話のような指で触ってスイッチが切り替わる画面表示になっていない。
【０００６】
本発明は、このような従来の構成が有していた問題を解決しようとするものであり、携帯電話端末の画面上を触って心電波形と体脂肪率の表示を切り替え、または切り替えるようにガイドして切り替えた結果の心電波形と体脂肪率の測定結果を視認可能で外部にその結果を伝達可能な心電波形及び体脂肪率測定システムを提供することを目的とするものである。
【０００７】
また、心電波形が不整脈、頻脈等の望ましくない波形が出力されたときに、心電波形を出力した後に、体脂肪率を測定する、また体脂肪率を測定した後に体脂肪率が異常に高い時または、脱水症状が出ているときに、心電波形はどのようになっているかについて測定を可能にする。
【課題を解決するための手段】
【０００８】
本発明の請求項１は、ケースと、前記ケース内に配置された再充電可能電池と前記ケースに挿入され、外部から接触すると通電されて表示する機能を備えたタッチパネルを備えた携帯電話端末と、前記タッチパネル表面に設けられた第１の表示部に接触することにより被験者の心電波形情報、体脂肪率情報の内の一方の情報を出力し、第２の表示部に接触することにより被験者の心電波形情報、体脂肪率情報の内の他方の情報を出力する出力手段と、前記出力された心電波形情報、体脂肪率情報の内の一方の情報が所定情報を出力したときに、心電波形情報、体脂肪率情報の内の他方の情報を出力するように指示または出力する手段を備えた心電波形及び体脂肪率測定システムを提供するものである。
【０００９】
請求項２は、前記ケース内に、前記携帯電話端末を挿入するガイドが設けられ、前記ガイドの前記携帯電話端末と接触する面に圧縮可能な材料が設けられている請求項１に記載の心電波形及び体脂肪率測定システムを提供するものである。
【００１０】
請求項３は、前記ケース内に、前記携帯電話端末が挿入完了を通知する光電センサ―を備えた請求項１に記載の心電波形及び体脂肪率測定システムを提供するものである。
【発明の効果】
【００１１】
上述したように、本発明の心電波形及び体脂肪率測定システムは、新たな表示装置を作らずに、携帯電話端末のであるタッチパネル上をタッチして心電波形と体脂肪率の表示を切り替え、心電波形と体脂肪率の測定結果を視認可能な心電波形及び体脂肪率測定システムを提供するものである。また、心電波形を鑑みて好ましくない結果が出力されたときに、体脂肪率を出力し、また逆に体脂肪率の結果が好ましくないときに、心電波形の結果が出力され、医師が診断するのに有効な資料となる。表示画面は、携帯電話端末は広く使われ、その大きさにまとめているのでその表示画面を使用することはユーザーにとって使いやすく好都合である。
【図面の簡単な説明】
【００１２】
【図１】本発明のケースの上から見た図
【図２】本発明のケースの斜視図
【図３】本発明のケースに挿入される携帯電話端末を示す図
【図４】本発明の心電波形及び体脂肪率測定システムのブロック図
【図５】本発明の心電波形及び体脂肪率測定システムの作動を示すフローチャー
【図６】本発明の携帯電話端末の充電端子及び音声通話端子を示す図
【図７】本発明のケースと携帯電話端末との関係を示す図
【発明を実施するための形態】
【００１３】
以下、本発明の心電波形及び体脂肪率測定システムで、図１は心電波形及び体脂肪率測定システムを上方向からみた上面図を示す。１はケースを示し、２はケース１に収容された携帯電話端末を示し、３，４，５，６はそれぞれ電極を示し、電極３と電極４の間に、電極５と電極６の間に、電極４と電極５の間に、電極３と電極６の間にそれぞれが接触しないように不図示の絶縁部を設ける。
【００１４】
図２は、ケース１の斜視図を示し、各電極３，４、５，６が示されている。ケースの空隙部に携帯電話端末２が収容される構造になっている。電極３、４、５、６は後述の図４で示すＣＰＵと接続してこれらの電極３，４，５，６と接触する被験者の心電波形および体脂肪率を出力し、波形及び数値を出力する。
【００１５】
図３は、ケースに収容される携帯電話端末を示す図である。
【００１６】
携帯電話端末２は現在市販されている商品と同じようにタッチパネル式で入力できる構造を持っている。画面の２Ａで示す「心電測定」、２Ｂで示す「インピーダンス測定」に触るとそれぞれの機能が作動する。「インピーダンス測定」は体脂肪率の測定を示し、事前に被験者の身長、体重、性別等を不図示の入力部材で入力すると事前に被験者と類似した体格の人の体脂肪率が記憶されているので被験者の体脂肪率が標準に対して高いのか、低いのか、異常に高いのか、低いのかなどの判定できる。
【００１７】
図４は、本発明の心電波形及び体脂肪率測定システムのブロック図を示す。
【００１８】
心電測定時は、図３の画面の２Ａで示す「心電測定」の文字を指でタッチすると、画面下にあるタッチスイッチがオンとなり、図４の一方の電極からの信号は電子的なスイッチＳＷ１の接点ＳＷ１ａはＳＷ１ｃに接続を介し、他方の掌の電極からの信号は電子的なスイッチＳＷ３の接点ＳＷ３ａはＳＷ３ｃに接続を介して心電計測回路のアンプから不図示のＡＤ変換回路を介してＣＰＵに導かれ、心電波形が生成される。
【００１９】
図３の画面の２Ｂで示す「インピーダンス測定」の文字を指でタッチすると、画面下にあるタッチスイッチがオンとなり、図４の電極４と電子的なスイッチＳＷ１の接点ＳＷ１ａはＳＷ１ｂに接続し、電子的なスイッチＳＷ２の接点ＳＷ２ａはＳＷ２ｂに接続し定電流回路を介してＳＷ３b、ＳＷ３aを介して電極５に接続する。掌の電極３からの信号と、掌の電極６からの信号がアンプに導かれて後、不図示のＡＤ変換回路を介してＣＰＵに導かれ、インピーダンス、即ち体脂肪率が出力される。
【００２０】
図５は、本発明の心電波形及び体脂肪率測定システムの作動を示すフローチャートの一例を示す。
【００２１】
まず、Ｓ１で、図３に示すように「心電測定」の文字にタッチして心電測定開始し、Ｓ２で心電波形が表示される。Ｓ３で、その心電波形があらかじめ記憶された心電波形として望ましくない波形かどうかを検査する。次にＳ４でもしも望ましくない波形（例えば、不整脈、頻脈等）の場合に図３の２Ｂに示す「インピーダンス測定」の文字が点滅、又は発音体を作動させて「インピーダンス測定」の表示に接触してすなわち体脂肪率測定をするように指示する。
【００２２】
そこで体脂肪率測定Ｓ５で体脂肪を測定し、Ｓ６でその結果を表示して本フローチャートの作動を終了する。
【００２３】
ここでは、「インピーダンス測定」にタッチしたが、「心電測定」で好ましい心電結果が出力されたときに、自動的に「インピーダンス測定」にタッチすると同様の作用をして自動的にインピーダンス測定を行ってもよい。
【００２４】
ここで体脂肪率が高い場合は被験者が肥満体であるので不整脈がでるとか、また逆に被験者が脱水症状であるので脈が異常であるなど、医師の診察の助けとなる情報を出力する。
【００２５】
図５では、まず心電を測定するフローチャートを説明したが、まず「インピーダンス測定」にタッチしてスタートしてもよい。その時は体脂肪率が好ましい結果でないときに心電を測定するようにしてもよい。
【００２６】
図６はケース１に収容する携帯電話端末２を示す。
【００２７】
携帯電話端末２の２Ａで示す充電端子と接続し、外部に設けられた２Ｂで示す充電コード端子と接続して携帯電話端末２を不図示の外部電源により充電を行う。
【００２８】
２Ｃは音声通話端子を示し、外部に音声通話端子２Ｃを介して音声が出力される。
【００２９】
図７は、携帯電話端末２の内部構造を示し、ケース１の下部にある。
【００３０】
携帯電話端末２を図７の１０で示す底面に置いて左方向から１１で示す携帯電話端末挿入ガイドの内側１１Ａに沿って挿入する。１２は携帯電話端末２の挿入完了を検知する光電センサである。１３は携帯電話端末２の突き当て面を示し、携帯電話端末２が挿入完了すると光電センサ１２が本システムの全体をつかさどるＣＰＵにその旨を通知する。
【００３１】
１４は、携帯電話端末２の充電端子２Ｂと接続する充電端子で、本システムにより充電が可能となる。
【００３２】
１５は、携帯電話端末２の音声通話端子２Ｃと接続する通話端子で、心電波形、体脂肪率情報を外部に伝達し、緊急時に有効となる。
【符号の説明】
【００３３】
１・・・・・ケース
２・・・・・携帯電話端末
３〜６・・・電極
１０・・・・底面
１１・・・・携帯電話端末挿入ガイド
１２・・・・光電センサ
１３・・・・携帯電話突き当て面
１４・・・・充電端子
１５・・・・音声通話端子
【図１】
2017047025.tif 000003
【図２】
2017047025.tif 000004
【図３】
2017047025.tif 000005
【図４】
2017047025.tif 000006
【図５】
2017047025.tif 000007
【図６】
2017047025.tif 000008
【図７】
2017047025.tif 000009